【手続補正書】
【提出日】平成19年12月3日(2007.12.3)
【手続補正１】
【補正対象書類名】明細書
【補正対象項目名】特許請求の範囲
【補正方法】変更
【補正の内容】
【特許請求の範囲】
【請求項１】
フラッシュランプ励起レーザにおいてレーザ照射の出力ビームを生成する方法であって、
該方法は、
ａ）間隔のあいた励起パルスを電子的に生成することと、
ｂ）該間隔のあいた励起パルスで該フラッシュランプ励起レーザを駆動することにより、複数のレーザ照射パルスを備えている出力ビームを生成することと
を包含し、
該励起パルスがシリーズとして生成されることにより、シリーズのレーザ照射パルスが生成されることであって、該照射パルスのシリーズは、有効パルス持続期間を有するパルス出力ビームを提供する、ことと、
該シリーズ内の該レーザ照射パルスが、マイクロパルスであること、すなわち該有効パルス持続期間に対して比較的短い持続期間を有することと、
該シリーズ内の励起パルスであって、該シリーズ内の前の励起パルスを有する励起パルスの各々の振幅が、該シリーズ内の該前の励起パルスの振幅よりも高くなるか、低くなるように変更されることと
を特徴とする、方法。
【請求項２】
前記シリーズ内の励起パルスであって、該シリーズ内の前の励起パルスを有する励起パルスの各々の振幅が、該シリーズ内の励起パルスの生成中に、前記フラッシュランプ励起レーザに関して、増加するレージング閾値と調和して変更されることを特徴とする、請求項１に記載の方法。
【請求項３】
前記シリーズ内の個々のマイクロパルスの波長が、前記励起パルスと調和して、調整素子を用いて変更されることを特徴とする、請求項１に記載の方法。
【請求項４】
前記マイクロパルスのシリーズが、少なくとも５ミリ秒の有効パルス持続時間を有するパルス出力ビームを提供することを特徴とする、請求項１に記載の方法。
【請求項５】
前記マイクロパルスのシリーズが、わずか４０ミリ秒の有効パルス持続時間を有するパルス出力ビームを提供することを特徴とする、請求項１に記載の方法。
【請求項６】
各マイクロパルスの持続期間が、少なくとも１０ミリ秒であることを特徴とする、請求項１に記載の方法。
【請求項７】
前記パルス出力ビームを提供する前記シリーズ内に２つよりも多くのマイクロパルスが存在することを特徴とする、請求項１に記載の方法。
【請求項８】
前記マイクロパルスのシリーズのトータルの合わせたエネルギーが、１ジュールよりも大きいことを特徴とする、請求項１に記載の方法。
【請求項９】
前記フラッシュランプ励起レーザが、色素レーザであることを特徴とする、請求項１に記載の方法。
【請求項１０】
前記色素レーザが、流体内に懸濁させられている色素混合物を含でいるレージング媒体を有することを特徴とする、請求項１に記載の方法。
【請求項１１】
前記出力ビームが、ターゲットに向けられ、個々のマイクロパルスの各々が、該ターゲットにおいて５Ｊ／ｃｍ２未満の流束量を有することを特徴とする、請求項１に記載の方法。
【請求項１２】
各マイクロパルスが、該マイクロパルスのシリーズのトータルのエネルギーの半分未満のエネルギーレベルを有することを特徴とする、請求項１に記載の方法。
【請求項１３】
前記レーザ照射の出力ビームを皮膚血管障害に向けることをさらに包含する、請求項１に記載の方法。
【請求項１４】
各マイクロパルスのパルスパラメータが、紫斑病の形成を最小限にするように選択される、請求項１３に記載の方法。
【請求項１５】
光パルスのシリーズをレージング媒体に向けることをさらに包含する、請求項１に記載の方法。
【請求項１６】
前記レーザ照射の出力ビームを金属または非金属のターゲットに向けることをさらに包含する、請求項１に記載の方法。
【請求項１７】
前記出力ビームが、ターゲットに向けられ、個々のマイクロパルスの各々が、該ターゲットにおいて６Ｊ／ｃｍ２よりも大きい流束量を有することを特徴とする、請求項１に記載の方法。
【請求項１８】
フラッシュランプ励起色素レーザにおいて５〜４０ミリ秒のオーバーの長い有効パルス持続期間を有するレーザ照射の出力ビームを生成する方法であって、
該方法は、
複数のエネルギー蓄積デバイスを提供することと、
単一の電源を用いて各エネルギー蓄積デバイスを異なったエネルギーレベルに充電することと、
該エネルギー蓄積デバイスを放電することによって、間隔のあいたシリーズの励起パルスを電子的に生成することであって、各励起パルスは、該フラッシュランプ励起色素レーザに関して、増加するレージング閾値と調和して前のパルスよりも大きいエネルギーを有する、ことと、
該励起パルスのシリーズで該フラッシュランプ励起色素レーザを駆動することと、
レーザ照射のマイクロパルスのシリーズを含んでいるパルス出力ビームを生成することであって、該マイクロパルスのシリーズは、合わせて該長い有効パルス持続期間を有する、ことと
を包含する、方法。
【請求項１９】
前記シリーズ内の励起パルスであって、該シリーズ内の前の励起パルスを有する励起パルスの各々の振幅が、該シリーズ内の励起パルスの生成中に、前記フラッシュランプ励起レーザに関して、増加するレージング閾値と調和して変更されることを特徴とする、請求項１８に記載の方法。
【請求項２０】
波長フィルタを通って透過される前記出力ビームの一部分を測定することと、
該出力ビームの測定された部分に応答して調整素子を調整することと
をさらに包含する、請求項１８に記載の方法。
【請求項２１】
フレキシブル照準デバイスを用いて、前記レーザ照射の出力ビームをターゲットに向けることをさらに包含する、請求項１８に記載の方法。
【請求項２２】
照準ビームを用いて、前記レーザ照射の前記出力ビームを前記ターゲットと位置合わせすることをさらに包含する、請求項２１に記載の方法。
【請求項２３】
緑色領域内の波長を有する照準ビームを使用することをさらに包含する、請求項２２に記載の方法。
【請求項２４】
前記マイクロパルスのシリーズが、少なくとも５ミリ秒の有効パルス持続期間を有するパルス出力ビームを提供することを特徴とする、請求項１８に記載の方法。
【請求項２５】
前記マイクロパルスのシリーズが、わずか４０ミリ秒の有効パルス持続時間を有するパルス出力ビームを提供することを特徴とする、請求項１８に記載の方法。
【請求項２６】
各マイクロパルスの持続期間が、少なくとも１０ミリ秒であることを特徴とする、請求項１８に記載の方法。
【請求項２７】
各マイクロパルスが、該マイクロパルスのシリーズのトータルのエネルギーの半分未満のエネルギーレベルを有することを特徴とする、請求項１８に記載の方法。
【請求項２８】
前記マイクロパルスのシリーズのトータルの合わせたエネルギーが、１ジュールよりも大きいことを特徴とする、請求項１８に記載の方法。
【請求項２９】
レーザ照射のパルス出力ビームを生成するフラッシュランプ励起レーザ装置であって、
該フラッシュランプ励起レーザ装置は、
トリガー信号に応答して、間隔のあいた励起パルスを電子的に生成するように適合されたパルス形成モジュールと、
該パルス形成モジュールからの該間隔のあいた励起パルスによって駆動され、それに応答して光パルスを生成するように構成されたフラッシュランプと、
該フラッシュランプから該光パルスを受信し、それに応答して複数のレーザ照射パルスを含む出力ビームを生成するように構成された液体色素媒体と
を備えており、
該レーザ照射パルスがシリーズとして生成されることにより、有効パルス持続期間を有するパルス出力ビームを提供するように、該装置が構成されていることと、
該シリーズ内の該レーザ照射パルスが、マイクロパルスであること、すなわち該有効パルス持続期間に対して比較的短い持続期間を有することと、
該シリーズ内の励起パルスであって、該シリーズ内の前の励起パルスを有する励起パルスの各々の振幅が、該シリーズ内の該前の励起パルスの振幅よりも高くなるか、低くなるように変更されるように、該装置が構成されていることと
を特徴とする、フラッシュランプ励起レーザ装置。
【請求項３０】
前記構成が、前記シリーズ内の励起パルスであって、該シリーズ内の前の励起パルスを有する励起パルスの各々の振幅が、該シリーズ内の励起パルスの生成中に、前記フラッシュランプ励起レーザに関して、増加するレージング閾値と調和して変更されることようになっていることを特徴とする、請求項２９に記載のフラッシュランプ励起レーザ装置。
【請求項３１】
前記シリーズ内の個々のマイクロパルスの波長を調節するために、トリガー信号に応答し、該マイクロパルスと調和する調整素子が提供されることを特徴とする、請求項２９に記載のフラッシュランプ励起レーザ装置。
【請求項３２】
前記構成が、使用の際に前記マイクロパルスのシリーズが少なくとも５ミリ秒のパルス持続時間を有するパルス出力ビームを提供するようになっていることを特徴とする、請求項２９に記載のフラッシュランプ励起レーザ装置。
【請求項３３】
前記構成が、使用の際に前記マイクロパルスのシリーズがわずか４０ミリ秒のパルス持続時間を有するパルス出力ビームを提供するようになっていることを特徴とする、請求項２９に記載のフラッシュランプ励起レーザ装置。
【請求項３４】
前記構成が、使用の際に各マイクロパルスの持続期間が少なくとも１０ミリ秒であるようになっていることを特徴とする、請求項２９に記載のフラッシュランプ励起レーザ装置。
【請求項３５】
前記構成が、使用の際に前記パルス出力ビームを提供する前記シリーズ内に２つよりも多くのマイクロパルスが存在するようになっていることを特徴とする、請求項２９に記載のフラッシュランプ励起レーザ装置。
【請求項３６】
前記構成が、使用の際に前記マイクロパルスのシリーズのトータルの合わせたエネルギーが１ジュールよりも大きいようになっていることを特徴とする、請求項２９に記載のフラッシュランプ励起レーザ装置。
【請求項３７】
前記レージング媒体が、流体内に懸濁させられている色素混合物を含でいることを特徴とする、請求項２９に記載のフラッシュランプ励起レーザ装置。
【請求項３８】
各マイクロパルスが、該マイクロパルスのシリーズのトータルのエネルギーの半分未満のエネルギーレベルを有することを特徴とする、請求項２９に記載のフラッシュランプ励起レーザ装置。
【請求項３９】
前記フラッシュランプ励起レーザが、皮膚血管障害を処置するために用いられることを特徴とする、請求項２９に記載のフラッシュランプ励起レーザ装置。
【請求項４０】
５〜４０ミリ秒のオーバーの長い有効パルス持続期間を有するレーザ照射のパルス出力ビームを生成するフラッシュランプ励起色素レーザであって、
該フラッシュランプ励起色素レーザは、
複数のエネルギー蓄積デバイスを異なったエネルギーレベル充電するように構成された電源と、
該電源と電気的に接続されるパルス形成モジュールであって、トリガー信号に応答して、該エネルギー蓄積デバイスを放電することによって励起パルスのシリーズを生成するパルス形成モジュールと、
該パルス形成モジュールから間隔のあいた該励起パルスのシリーズを電気的に受取るフラッシュランプであって、それに応答して光パルスのシリーズを生成するフラッシュランプと、
該フラッシュランプから該光パルスのシリーズを受取り、それに応答して、レーザ照射の間隔のあいたマイクロパルスのシリーズを含む出力レーザビームを生成する液体色素媒体であって、該マイクロパルスのシリーズは、合わせて該長い有効パルス持続時間を有する、液体色素媒体と
を備える、フラッシュランプ励起色素レーザ。
【請求項４１】
前記励起パルスのシリーズは、前記フラッシュランプ励起色素レーザに関して、増加するレージング閾値と調和する、増加する振幅を有して生成される、請求項４０に記載のフラッシュランプ励起色素レーザ。
【請求項４２】
波長フィルタを通って透過される前記出力ビームの一部分を測定するフィードバックモジュールと、
該フィードバックモジュールと通信する調整素子であって、該出力ビームの測定された部分に応答して各マイクロパルスの波長を変更する調整素子と
をさらに備えている、請求項４０に記載のフラッシュランプ励起色素レーザ。
【請求項４３】
前記レーザ照射の出力ビームをターゲットに向けるフレキシブル照準デバイスをさらに備えている、請求項４０に記載のフラッシュランプ励起色素レーザ。
【請求項４４】
前記出力ビームを前記ターゲットと位置合わせする照準ビームを提供する照準デバイスさらに備えている、請求項４３に記載のフラッシュランプ励起色素レーザ。
【請求項４５】
前記照準ビームが、緑色領域内の波長を有していることを特徴とする、請求項４４に記載のフラッシュランプ励起色素レーザ。
【請求項４６】
前記構成が、使用の際に前記マイクロパルスのシリーズが少なくとも５ミリ秒のパルス持続時間を有するパルス出力ビームを提供するようになっていることを特徴とする、請求項４０に記載のフラッシュランプ励起色素レーザ。
【請求項４７】
前記構成が、使用の際に前記マイクロパルスのシリーズがわずか４０ミリ秒のパルス持続時間を有するパルス出力ビームを提供するようになっていることを特徴とする、請求項４０に記載のフラッシュランプ励起色素レーザ。
【請求項４８】
前記構成が、使用の際に各マイクロパルスの持続期間が少なくとも１０ミリ秒であるようになっていることを特徴とする、請求項４０に記載のフラッシュランプ励起色素レーザ。
【請求項４９】
各マイクロパルスが、該マイクロパルスのシリーズのトータルのエネルギーの半分未満のエネルギーレベルを有することを特徴とする、請求項４０に記載のフラッシュランプ励起色素レーザ。
【請求項５０】
前記構成が、使用の際に前記マイクロパルスのシリーズのトータルの合わせたエネルギーが１ジュールよりも大きいようになっていることを特徴とする、請求項４０に記載のフラッシュランプ励起色素レーザ。
【請求項５１】
前記励起パルスのシリーズ内の各パルスが、前記フラッシュランプ励起色素レーザに関して、増加するレージング閾値と調和して、増加する持続期間を有することを特徴とする、請求項４０に記載のフラッシュランプ励起色素レーザ。